(57)【要約】【課題】簡便な構成で、安定して蒸気の放出を行うことのできる包装袋及び包装袋用フィルムシートを提供する。【解決手段】本発明に係る包装袋は、一対のフィルムシートを重ね合わせて周縁を閉じることにより内容物を保持する包装袋であって、前記一対のフィルムシートの一方のフィルムシートは、外側フィルムと、内側フィルムと、前記内側フィルム及び前記外側フィルムの間に配置される剥離促進層と、を備え、さらに、前記剥離促進層、前記外側フィルム及び前記内側フィルムを貫通する穴が形成されたことを特徴とする。【選択図】図１
2017218180.tif 000002
【特許請求の範囲】
【請求項１】
一対のフィルムシートを重ね合わせて周縁を閉じることにより内容物を保持する包装袋であって、
前記一対のフィルムシートの一方のフィルムシートは、外側フィルムと、内側フィルムと、前記内側フィルム及び前記外側フィルムの間に配置される剥離促進層と、を備え、さらに、前記剥離促進層、前記外側フィルム及び前記内側フィルムを貫通する穴が形成された、包装袋。
【請求項２】
前記剥離促進層は、カーボン系素材を含む請求項１記載の包装袋。
【請求項３】
前記一方のフィルムシートの前記穴は、前記一対のフィルムシートの接着領域において、他方のフィルムシートの穴が形成されていない領域に配置される請求項１記載の包装袋。
【請求項４】
前記剥離促進層は、前記一対のフィルムシートの接着領域と非接着領域に跨って形成されている請求項１記載の包装袋。
【請求項５】
前記剥離促進層は、前記包装袋の端辺に接していない請求項１記載の包装袋。
【請求項６】
第一のフィルムと、
第二のフィルムと、
前記第一のフィルムと前記第二のフィルムの間に配置される剥離促進層と、を備え、
前記第一のフィルム、前記第二のフィルム及び前記剥離促進層を貫通する穴が形成されてなる包装袋用フィルムシート。
【請求項７】
前記剥離促進層は、カーボン系素材を含む請求項６記載の包装袋用フィルムシート。
【請求項８】
前記穴は、前記包装袋用フィルムシートが折りたたまれた場合に、穴が形成されていない領域と重なって配置されるよう構成される請求項６記載の包装袋用フィルムシート。
【請求項９】
前記剥離促進層は、前記包装袋の端辺に接していない位置に配置される請求項６記載の包装袋用フィルムシート。
【発明の詳細な説明】
【技術分野】
【０００１】
本発明は包装袋及びこれに用いられる包装袋用フィルムシートに関し、より具体的には加熱した場合に内部の蒸気を外部に放出させることができるものに関する。
【背景技術】
【０００２】
近年、スープ等の液体を多く含む食べ物を安定的に保持するものとしてフィルムシートから構成される包装用袋が用いられてきている。この包装用袋はフィルムシートによって構成されているため柔軟かつ軽量で持ち運びや保存が便利であり、また缶等と比べて開封が容易であるため、非常に重宝されている。
【０００３】
一方、近年、コンビニエンスストアや家庭等では、冷えた食べ物を温めるための電子レンジが普及しており、電子レンジによって冷えた食べ物であっても温めなおすことが可能となっている。すなわち、冷えた食べ物を包装用袋のまま電子レンジ等で温めることができれば非常に便利である。
【０００４】
ところが、一般に、フィルムシートから構成される包装用袋は柔らかく形状が変化しやすいものであるため、電子レンジ等によって加熱した場合、内部の液体の水分が蒸気となり膨れ、場合によっては破裂して内包した食べ物が飛び散ってしまう虞がある。
【０００５】
そこで、適切に蒸気を逃がす必要がある。このための技術として、例えば、下記特許文献１には、電子レンジで蒸気抜きをすることのできる包装袋が開示されている。
【先行技術文献】
【特許文献】
【０００６】
【特許文献１】特開２０１４−１５２３８号公報
【発明の概要】
【発明が解決しようとする課題】
【０００７】
しかしながら、上記特許文献１に記載の技術は、非常に複雑な構造にせざるを得ないといった課題がある。特に、蒸気を放出させる部分はフィルムシートが三重の構造となるように構成されており、特別な装置でないと製造できず、また特別な装置でないと食べ物を袋詰めできないといった課題がある。
【０００８】
そこで、本発明は上記課題に鑑み、簡便な構成で、安定して蒸気の放出を行うことのできる包装袋及び包装袋用フィルムシートを提供することを目的とする。
【課題を解決するための手段】
【０００９】
上記課題を解決する本発明の一観点に係る包装袋は、一対の包装袋用フィルムシートを重ね合わせて周縁を閉じることにより内容物を保持する包装袋であって、一対の包装袋用フィルムシートの一方の包装袋用フィルムシートは、外側フィルムと、内側フィルムと、内側フィルム及び外側フィルムの間に配置される剥離促進層と、を備え、さらに、剥離促進層、外側フィルム及び内側フィルムを貫通する穴が形成されたものである。
【００１０】
また本発明の他の一観点に係る包装袋用フィルムシートは、第一のフィルムと、第二のフィルムと、第一のフィルムと第二のフィルムの間に配置される剥離促進層と、を備え、第一のフィルム、第二のフィルム及び剥離促進層を貫通する穴が形成されてなるものである。
【発明の効果】
【００１１】
以上、本発明によって、簡便な構成で、安定して蒸気の放出を行うことのできる包装袋及び包装袋用フィルムシートを提供することができる。
【図面の簡単な説明】
【００１２】
【図１】実施形態に係る包装袋（密封前）の概略を示す図である。
【図２】実施形態に係る包装袋（密封後）の概略を示す図である。
【図３】実施形態に係る包装袋の一端辺近傍の断面の概略図である。
【図４】実施形態に係る包装袋の他の一例の概略を示す図である。
【図５】実施形態に係る包装袋の他の一例の一端辺近傍の断面の概略図である。
【図６】実施形態に係る包装袋が蒸気を放出する際のイメージ図である。
【図７】実施形態に係る包装袋用フィルムシートの概略図である。
【図８】実施形態に係る包装袋用フィルムシートの一端辺近傍の断面の概略図である。
【図９】実施形態に係る包装袋用フィルムシートを袋にする場合のイメージ図である。
【発明を実施するための最良の形態】
【００１３】
以下、本発明の実施形態について図面を用いて詳細に説明する。ただし、本発明は多くの異なる形態による実施が可能であり、以下に示す実施形態、実施例における例示的記載に限定されるわけではない。
【００１４】
図１は本実施形態に係る包装袋（以下「本包装袋」という。）１の概略（密封前）を示す図であり、図２は、本包装袋１の一端辺近傍（図１中のＡ−Ａ’断面）における接着領域近傍の断面の概略を示す図である。これらの図で示すように、本包装袋１は、一対のフィルムシート２、３を重ね合わせて周縁を閉じることにより内容物を保持することのできる包装袋であって、一対のフィルムシート２、３のうち、一方のフィルムシート２は、外側フィルム２１と、内側フィルム２２と、外側フィルム２１及び内側フィルム２２の間に配置される剥離促進層２３と、を備え、さらに、剥離促進層２３、外側フィルム２１及び内側フィルム２２を貫通する穴２４が形成されたものである。
【００１５】
本包装袋１における一対のフィルムシート２、３は、上記の通り一対となっており、周縁を綴じて接着領域とすることにより食べ物等の内容を保持することのできるものである。なお、内容物を入れる前は、少なくとも一端辺は開放されていることが好ましい。このようにすれば、内容物を入れやすくなるとともに、内容物を入れた後、この一端辺を閉じることで密封保持することが可能となる。密封した場合のイメージ図を図３に示しておく。
【００１６】
本包装袋１における一方のフィルムシート２は、上記のとおり外側フィルム２１と、内側フィルム２２と、外側フィルム２１及び内側フィルム２２の間に配置される剥離促進層２３と、を備えている。外側フィルム２１と内側フィルム２２とは、剥離促進層２３等の中間の層が形成されていない部分では圧着され一体に構成されている。
【００１７】
本包装袋１における一方のフィルムシート２の内側フィルム２２は、他方のフィルムシート３と熱等を用いて圧着することができるよう、熱可塑性を有するフィルムシートであることが好ましく、例えば低密度ポリエチレン、中密度ポリエチレン、高密度ポリエチレン、ポリプロピレン、プロピレン−エチレン共重合体、エチレン−酢酸ビニル共重合体、エチレン系不飽和カルボン酸又はその無水物でグラフト変性されたオレフィン樹脂等のオレフィン系樹脂、比較的低融点又は低軟化点のナイロン等のポリアミド樹脂又はコポリアミド樹脂、ポリエステル樹脂、コポリエステル樹脂、ポリカーボネイト樹脂等を例示することができる。
【００１８】
また本包装袋１における一方のフィルムシート２の内側フィルム２２の厚さとしては、内容物を安定的に密封することができる限りにおいて特に制限されず、例えば３０μｍ以上２ｍｍ以下であることが好ましい。
【００１９】
また本包装袋１における一方のフィルムシート２の外側フィルム２１は、包装対象物を保護することができ、また内側フィルム２２との間に下記で示すように中間層を保持することができる限りにおいて限定されるわけではなく、例えば上記の熱可塑性を有するフィルムシートにて例示したものを用いることができるが、さらに、空気や水分が抜けてしまわないようバリア性を備えているものであることはより好ましい。
【００２０】
また本包装袋１において、一方のフィルムシート２の剥離促進層２３は、上記のとおり、外側フィルム２１と内側フィルム２２の間に配置される層であって、内容物に含まれる水分が上記となり包装用袋全体が膨れた場合に、剥離が開始される部分となり、この結果適切な位置から蒸気を排出させることができるようになる。すなわち外側フィルム２１と内側フィルム２２の接着力を弱めた層となっている。なお、この機能効果の詳細については後述する。
【００２１】
また本包装袋１における一方のフィルムシート２の剥離促進層２３は、上記の機能及び後述の機能効果を奏することができる限りにおいて限定されるわけではないが、例えばカーボン系素材等からなる微小な粒子をインク等の染料に混入させた例示することができるがこれに限定されない。このようにカーボン系素材等の微小な粒子を混入させることでフィルム間の剥離を促進することができ、この間から蒸気の排出を効果的に行うことができる。
【００２２】
また本包装袋１の一方のフィルムシート２には、剥離促進層２３、外側フィルム２１及び内側フィルム２２を貫通する穴２４が形成されている。穴の大きさは、後述するように蒸気を放出することができる限りにおいて限定されるものではないが、大きすぎることも好ましくないため、例えば０．５ｍｍ以上１０ｍｍ以下であることが好ましく、より好ましくは５ｍｍ以下である。なお穴の形状は、蒸気を放出することができる限りにおいて特に限定されないが、円形であることが製造を簡略にする観点から好ましい。
【００２３】
また本包装袋１の一方のフィルムシート２の外側フィルム２１及び内側フィルム２２の間には、インク等を含むインク層２５を有していることも好ましい。インク層２５を備えることで、包装袋に印刷を行い使用者に内容物等についての情報提示を行うことができるようになるとともに見た目が良くなる。また、上記剥離促進層２３に重畳させることでこの剥離促進層２３を目立たなくさせることができる。なお、インク層２５を剥離促進層２３と重畳させる場合、インク層２５は剥離促進層２３よりも外側フィルム側に設けておくことが好ましい。この場合のイメージを図４、その一断面（図中のＡ−Ａ’）を図５に示しておく。
【００２４】
また本包装袋１における他方のフィルムシート３は、上記一方のフィルムシート２と対となるよう配置されるフィルムシートであって、上記一方のフィルムシート２で例示する材料と同様の材料を用いて構成を採用することができる。なお、上記一方のフィルムシート２では複数のフィルムが積層された構造となっており、他方のフィルムシート２も同様の二層以上の構成であることが好ましいが、他方のフィルムシート３は一層構造であっても良い。
【００２５】
また、本包装袋１において、一方のフィルムシートの穴２４は、一対のフィルムシート２、３の接着領域において、他方のフィルムシートの穴が形成されていない領域に配置されていることが好ましい。このようにすることで、他方のフィルムシートを下にし、蒸気とともに内容物が袋の外かつ下側に垂れてしまうのを防止することができる。なお、穴２４は、剥離促進層２３の領域内に納まるよう配置されていても良いが、図１等で示すように、一部でも接していれば良く、一部はみ出していても良い。
【００２６】
また本包装袋１において、一方のフィルムシート２の剥離促進層２３は、一対のフィルムシートの接着領域と非接着領域に跨って形成されていることが好ましい。このようにすることで、内容物に接する非接着領域から乖離が発生し、剥離促進層２３を介して接着領域の穴に蒸気を放出する経路が確実に形成される。
【００２７】
したがって、上記の観点から、剥離促進層２３は、包装袋１の端辺に接していないことが好ましい。このようにすることで、端辺から内容物が下に伝ってしまうのを防止することが可能となる。
【００２８】
また、本実施形態において、限定されるわけではないが、穴が形成された位置における接着領域と非接着領域の境界線の形状が、袋を上面から見た場合に山型に形成され、中央近傍において窪んだ凹部となっていることが好ましい。このようにすることで、袋内の空間の膨張とともに中央近傍においてストレスが強くかかるようになり、剥離促進層による剥離がより促進されることになる。
【００２９】
ここで、本包装袋１による蒸気抜きの原理について詳細に説明する。図６は、本包装袋１に水分を含む内容物が密封されている状態で、電子レンジ等によって加熱された場合に蒸気を袋の外に排出させる場合のイメージ図である。
【００３０】
まず、内容物は熱せられると、その内容物に含まれる水分が蒸発し蒸気となる。この蒸気は包装袋内の圧力を高めるとともに、体積を増加させるため、包装用袋の空間は膨張する。
【００３１】
すると、一方のフィルムシート２と他方のフィルムシート３の間には離れる方向に力が働き、それぞれのフィルムシート２、３にストレスをかける。そして更に、一方のフィルムシート２の内側においては、外側フィルム２１と内側フィルム２２の間にも剥離する方向の力が働く。そして、一方のフィルムシート２内には剥離促進層２３が存在しているためこの力がより顕著になる。そしてこの剥離する力が内側フィルムシートの非接着領域にて破断し、剥離促進層２３内に蒸気が進入することになる。そして進入した蒸気は形成された穴２４から排出されることになる。この結果、内容物は包装用袋１の下に漏れることなく安定的に外部に放出される。
【００３２】
また、本図で示すように、剥離促進層２３は、包装袋１の端辺に接していないため、この端辺から内容物が漏れ出てしまう虞も格段に少なくなっている。
【００３３】
以上、本包装用袋により、非常に簡便な構成で、安定して蒸気抜きを行うことができる。
【００３４】
なお、上記の例では、本包装用袋１について、一端辺が開放され残りの端辺が接着された状態となっている例を用いて示したが、この前の形状として、包装用フィルムシートとして市場に流通することもある。この場合の一例を図７、図８に示しておく。なお図７は、包装用フィルムシートの斜視概略を示す図であり、図８は、その一端辺近傍の断面概略図である。
【００３５】
本図で示す包装袋用フィルムシートは、図面からも明らかであるが、上記一方のフィルムシートの構成を備えたものであり、具体的には、第一のフィルム（外側フィルム２１）と、第二のフィルム（内側フィルム２２）と、第一のフィルム２１と第二のフィルム２２の間に配置される剥離促進層２３と、を備えており、第一のフィルム２１、第二のフィルム２２及び剥離促進層２３を貫通する穴２４が形成されてなることを特徴とする。
【００３６】
本包装袋用フィルムシートは、上記の内側フィルム２と外側フィルム３が一枚のシートとして形成されたものとなっている。すなわち、上記図２等の例では一端辺のみが開放されているが、図７の例では一端辺のみが閉じている。すなわち、本包装用フィルムシートは端辺を閉じる動作と内容物を入れる動作をほぼ同時に行うことができる。すなわち、簡単な構造のフィルムシートとなっているため、従来の製造装置の工程にも組み込むことが可能となる。図９に、本包装袋用フィルムシートを用いた内容物の密封方法のイメージについて示しておく。
【００３７】
なおこれらの記載から明らかなように、穴は、包装袋用フィルムシートが折りたたまれた場合に、穴が形成されていない領域と重なって配置されるよう構成されていることが好ましく、また、剥離促進層は、包装袋の端辺に接していない位置に配置されていることが好ましい。
【実施例】
【００３８】
ここで、上記実施形態に記載の包装用袋に関し、実際にその作製を行いその効果を確認した。以下具体的に説明する。
【００３９】
本図では、ナイロンからなり縦２００ｍｍ×横２１５ｍｍ、厚さ１５μｍの外側フィルムと、ポリエチレンからなり縦２００ｍｍ×２１５ｍｍ、厚さ５０μｍの内側フィルムに、カーボン系素材を含む剥離促進層（縦３ｃｍ×横２ｃｍ、厚さ１０μｍ）を挟み、一方のフィルムシートとした。そして、このフィルムシートの剥離促進層が形成されている領域に、直径３ｍｍの穴をパンチにより開けた。
【００４０】
また、他方のフィルムシートを、上記内側フィルムと外側フィルムと同様の材質及び大きさのフィルムを用いて作製した。
【００４１】
そして、上記図１のように一端辺を除いて圧着して張り合わせ、内容物として水を充填し、残る一端辺も閉じて密封した。
【００４２】
その後、電子レンジに投入し、穴が形成された側を上に向けた状態で３０秒ほど加熱したところ、袋はふくらみ、穴のみから蒸気を放出することができるのを確認した。また、少なくとも、蒸気が放出されている状態において、水が袋の下側からこぼれ落ちることはなかった。この結果、本発明の有効性が確認できた。
【産業上の利用可能性】
【００４３】
本発明は、包装用袋及び包装袋用フィルムシートとして産業上の利用可能性がある。
【図１】
2017218180.tif 000003
【図２】
2017218180.tif 000004
【図３】
2017218180.tif 000005
【図４】
2017218180.tif 000006
【図５】
2017218180.tif 000007
【図６】
2017218180.tif 000008
【図７】
2017218180.tif 000009
【図８】
2017218180.tif 000010
【図９】
2017218180.tif 000011